(57)【要約】 【課題】給紙前に記録面上に付着した紙粉や埃を落とし、装置全体には直接振動を与えないようにすることで搬送性能を安定して給送できるものとし、振動による騒音を軽減した自動給紙装置を提供すること。【解決手段】振動板２１に振動を付与する振動子２２を配置し、載置板１１の下降位置において用紙載置面よりも突出した状態で配置する。載置した用紙は確実に振動板２１からの振動を受けて記録面上の異物や紙粉を落とす。また振動板２１と載置板１１を非接触にすることで用紙幅を規制するサイドガイド１８、１９がずれ動くことを軽減できるため、搬送性能を確保することができると同時に振動による騒音を軽減することができる。【選択図】  図４
2015214412.tif 000002
【特許請求の範囲】
【請求項１】
用紙を給送する給紙ローラと、用紙を載置する載置板と、用紙へ接離可能に配置した振動板と、前記振動板に振動を与えるための振動付与手段を備えた自動給紙装置であって、
前記載置板と前記振動板は非接触であり且つ前記給紙ローラが用紙に当接する場合には前記振動板は載置面より退避し、前記給紙ローラが用紙から離間している場合には前記振動板は載置面より突出することを特徴とする自動給紙装置。
【請求項２】
前記載置板上にサイドガイドを設け、揺動可能とした自動給紙装置において
前記振動板は前記載置板の下降位置で載置面よりも突出し、前記載置板の上昇位置では
前記振動板は載置面より退避することを特徴とする請求項１に記載の自動給紙装置。
【請求項３】
前記振動付与手段は電気的振動素子であることを特徴とする請求項１又は請求項２に記載の自動給紙装置。
【請求項４】
前記振動付与手段は駆動源により駆動を伝達され回転する軸部と、前記軸部と共に回転するカム部材と、前記振動板を前記載置面に対して退避した状態で保持する付勢手段と、
前記軸部を回転するための駆動手段を備えた自動給紙装置において、前記カム部材の大径部が前記振動板へ当接することで、前記振動板が載置面より突出することを特徴とする請求項1に記載の自動給紙装置。
【発明の詳細な説明】
【技術分野】
【０００１】
本発明は、被記録媒体を給送する給送手段と、被記録媒体に画像を記録（印字）する記録手段とを備えた記録装置に関するものである。
【背景技術】
【０００２】
被記録媒体を給送する給送手段と、被記録媒体に画像を記録（印字）する記録手段とを備えた記録装置の一形態としてインクジェット記録装置がある。インクジェット記録装置の給送部と記録部の構成として、装置本体後方上部に給送部を配置し、給送部の前方に記録部を配置したものが一般的であり、給送部にセットされた被記録媒体を給送手段により記録部に給送して、記録部における搬送手段により被記録媒体を搬送する中で被記録媒体への記録動作を行ない、記録動作終了後に装置前方から被記録媒体を装置外に排出する構成となっている。
【０００３】
さらに給送部においては被記録媒体をセットする載置台に被記録媒体の幅方向両端部を規制するガイド部材が配置されており、装置使用者がセットする被記録媒体のサイズに合わせて片方または両方のガイド部材を移動させて、被記録媒体の幅方向の位置を規制する構成となっている。上記ガイド部材が被記録媒体の側端部をガイドすることで横方向への位置ずれなどを防ぎながら給送部から記録部への被記録媒体の給送動作を精度良く行うことが可能な構成となっている。
【０００４】
上記のように精度良く給紙動作を行う一方で、被記録媒体の種類の中には異物や紙粉により印刷品位を低下させてしまう問題があった。特にアート紙はカット端部から発生する紙粉やインクの受容層が剥がれて発生する紙粉やコート粉（以下まとめて紙粉と表記する）が記録面上へ付着しており、印刷後に紙粉が取り除かれるとその部分が白抜けしてしまい印刷品位が低下してしまう問題があった。
【０００５】
上記、異物や紙粉により印刷品位が低下してしまう問題に対しては、特許文献１に開示されたものがある。この装置は被記録媒体をセットする収納箱とエアを送風又は吸引するノズルを備えており、収納箱又はノズルを相対移動しながら送風することでセットされた被記録媒体を振動させる構成となっている。
【０００６】
また上記、振動を付与してシートガイド上の異物を取り除く手段としては特許文献２に開示されたものがある。この装置は印刷物の裏面と印刷面のインキの張付きを防止するためのパウダーが噴射されるようになっており、そのパウダーよって汚染されたシートガイドをバイブレータの振動によってシートガイド全体を振動させ、振り落とす構成となっている。
【先行技術文献】
【特許文献】
【０００７】
【特許文献１】特開２００５−０６７１８７号公報
【特許文献２】特開２００７−２２９９７２号公報
【発明の概要】
【発明が解決しようとする課題】
【０００８】
しかしながら、上記特許文献1に示した従来例においてはセットした被記録媒体にエアを送風することで不揃いになりやすく給紙性能に影響を与えるおそれがあった。また機構の複雑化により装置の大型化やコストアップをしてしまうおそれがあった。また、上記特許文献２に示した従来例においては異物を回収するためにシートガイド全体を振動させることで装置全体に振動が伝わりやすく大きな騒音を発生させてしまうおそれがあった。
【０００９】
そこで本発明は、載置板上に載置した被記録媒体に振動を与えることで、記録面上に付着している異物や紙粉を取り除き、付与した振動による搬送性能への影響や騒音を軽減した自動給紙装置を提供することを目的とする。
【課題を解決するための手段】
【００１０】
本発明に係る自動給紙装置の構成は、用紙を給送する給紙ローラと、用紙を載置する載置板と、前記載置板上に設けられたサイドガイドと、用紙へ接離可能に配置した振動板と、前記振動板に振動を与えるための振動付与手段を備えた自動給紙装置において
前記積載板と前記振動板は非接触であり且つ前記給紙ローラが用紙に当接する場合には前記振動板は載置面より退避し、前記給紙ローラが用紙から離間している場合には前記振動板は載置面より突出することを特徴とする。
【発明の効果】
【００１１】
本発明によれば、載置板上に載置した被記録媒体に対して接触／離間が可能な振動付与手段により確実に振動を与えることで被記録媒体上の異物や紙粉を落とすことができる。また載置板と振動付与手段を非接触にすることで載置板上のサイドガイドには直接振動を与えずに位置ずれすることなく給送することができ、装置全体にも振動が伝わりにくい構成としたことで振動による騒音も軽減することができる。
【図面の簡単な説明】
【００１２】
【図１】本発明の実施例であるインクジェット記録装置の概略斜視図
【図２】本発明の実施例である給送部の斜視図
【図３】本発明の実施例である給送部の概略断面図（1）
【図４】本発明の実施例である給送部の概略断面図（2）
【図５】本発明の実施例である給送部の動作説明図
【図６】本発明の第２実施例である記録部の概略断面図
【図７】本発明の第２実施例である記録部の動作説明図
【発明を実施するための形態】
【００１３】
［実施例１］
以下、本発明の実施の形態について図面を用いて詳細に説明する。ただし、この実施の形態に記載されている構成部品の寸法、材質、形状それらの相対配置などは、特に特定的な記載がない限りは、この発明の範囲をそれらのみに限定する趣旨のものではない。
【００１４】
（インクジェット記録装置）
図１に、本発明の実施の形態に係るインクジェット記録装置1の斜視図を示す。インクジェット記録装置１は、給送部２と記録部３を備えている。図１において左側が装置前方（ＦＲＯＮＴの表示で示す）であり、符合Ａで示した方向が被記録媒体搬送方向である。給送部はインクジェット記録装置１の本体後方上部に配置され、記録部３は給送部２の装置本体前方に配置されている。給送部にセットされた被記録媒体が給送部の給送手段により図１に示すＡ方向に給送され、記録部３に到達する。その後記録部３に搭載された搬送手段により搬送される中で記録動作が行われる。記録動作終了後、被記録媒体は記録部３の前方より機外に排出される構成になっている。尚、記録部３に関する具体的な構成、動作については、従来例と変わりがないため、ここでは省略する。
【００１５】
（給送部の構成）
次に本発明の第一の実施形態に係る給送部の構成について図２、図３を用いて説明する。図２は給送部２の概略斜視図であり、図３はその概略断面図である。給送部２は、載置板１１、給送ローラ１２、分離ローラ１３、および給送ローラ１２、分離ローラ１３を支持する給送フレーム１５を備えている。更に給送フレーム１５には今回の発明の特徴である振動板２１が備えられており、振動板２１には振動源となる電気的振動素子２２(以下、振動子と表現する)を備えている。また給送フレーム１５と振動板２１の取り付け面の間には防振部材２６を備えている。
【００１６】
載置板１１は用紙１６を載置するものであり、その上端付近の回転中心部１７を給送フレーム１５に対して回動自在に軸支されており、回転中心部１７を中心に下端が給送ローラ１２に対して接触／離間する方向に回転可能な構成となっている。
【００１７】
また載置板１１の幅方向中央付近には開口を設けてあり、その開口から振動板２１は載置面よりも突出するように配置され、且つ載置板１１とは非接触の状態で配置されている。
【００１８】
給送ローラ１２は円筒形状をなしており、給送フレーム１５に対して回転可能に軸支され、載置板１１の下端部近傍に対向する位置に配置されている。また図２に示すように、給送ローラ１２は載置板１１の用紙載置部幅方向の略中央部付近に対向するように配置されており載置板１１に載置された用紙１６の幅方向中央部付近に給送力を与える構成となっている。
【００１９】
載置板１１上には用紙１６を案内する左右のガイド部材１８、１９が取り付けられている。左右のガイド部材１８、１９は載置板１１に対して用紙搬送方向に交差する方向、すなわち用紙幅方向に移動可能に取り付けられており、載置する用紙サイズに合わせて装置使用者が操作することが可能な構成になっている。
【００２０】
（給送及び振動付与動作）
図３、図４を用いて一連の給送および振動付与動作について説明する。給送部２は待機状態においては図３に示すように、載置板１１が給送ローラ１２から離間した位置で保持される構成となっている。この状態で装置使用者は用紙１６を載置板１１上に載置する。そして左右のガイド部材１８、１９を操作して用紙１６の左右の側端位置を規制することで給送ローラ１２が用紙１６の中央部に当接するように調整することが可能な構成となっている。また図４に示すように振動板２１の用紙当接面は載置面１１aより高さT1だけ突出するようにすることで用紙と確実に当接するようになっている。
【００２１】
ここでのT1は振動板２１が載置面１１aよりも部品及び組立ばらつきを考慮しても確実に突出する高さ寸法のことある。
【００２２】
上記の状態において振動板１１に備えられた振動子２２を動作することで振動板１１に振動が伝達され、載置している用紙にも振動が伝達されることで用紙１６の記録面上に付着した紙粉を用紙先端側１５に落とす構成となっている。また振動板２１が載置面に突出するために設けられた開口外周壁と振動板２１の間には全周に隙間T2を設けることで振動が積載板１１に伝わらないようにしている。ここでのT2は振動板２１と開口外周壁が部品及び組立ばらつき、振動による揺動を考慮しても互いに接触しない隙間寸法のことである。これにより用紙幅を規制しているサイドガイド１８、１９もずれにくくなり搬送性能への影響を軽減することができる。また振動板２１と給送フレームの取り付け面の間には防振部材２６を設けることで給送フレーム１５を介して載置板２１へ伝達される振動を抑制すると共に装置全体が振動して発する騒音に対しても軽減することができる。
【００２３】
このように所定の時間振動子２２が動作し続けた後に動作を停止する。振動子２２の動作を停止することで記録動作への影響を無くすことができる。
【００２４】
次に給送動作が開始されると、給送ローラ１２が図３における符号Ｂで示した回転方向へ回転し始める。すると、載置板１１が符号Ｃで示した揺動方向へ揺動し、載置板１１上に載置された用紙１６が給送ローラ１２の外周面に押しつけられて当接する。すると図５に示す通り、載置面１１aに対して突出していた振動板２１と用紙１６は離間され、用紙１６は略水平の状態で載置面１１a上へ載置される。これにより振動板２１の突出による撓みを防止することで搬送性能への影響を軽減することができる。
【００２５】
給送ローラ１２が符号Ｂで示した回転方向へさらに回転すると、給送ローラ１２の外周面に当接している用紙１６が記録部３へ向け搬送されていく。
【００２６】
この一連の動作を記録前に行うことで記録面上へ付着していた紙粉を取り除き、印刷品位の低下を防止することができる。
【００２７】
［実施例２］
次に本発明の第２の実施形態を説明する。これは、振動付与手段である振動子２２が第１の実施形態とことなるのみであり、プリンタ全体の構成は第１の実施形態と同様であるので省略する。
【００２８】
（給送部の構成）
本発明の第二の実施形態に係る給送部の構成について図６を用いて説明する。まず図示しない駆動源により駆動を伝達され回転する駆動軸２４と駆動軸２４に固定されて共に回転するようにカム部材２３を構成する。振動板２１の用紙搬送方向先端側には振動板２１が回動自在にできるよう回転支点１５ｂ（２１ｂ）が設けられ、用紙搬送方向後端側２１aとその対向する側の給送フレーム１５aには付勢部材２５が設けられることで、振動板２１には付勢部材２５の作用により時計回りに回動しようとする力がかかった状態になる。この形態においてはカム部材に当接することで回転止めを行っているため振動板２１とカム部材の当接する間に防振部材２６を備えているが回転止めを行う別の受け部を設けても良いため限定される手段ではない。
【００２９】
この形態は載置板１１の下降時に振動板２１（防振部材２６）とカム部材の大径部２３aが当接することで載置面１１aよりも突出し、載置板１１の上昇時には陥没状態となる。また振動板２１が突出するために設けた載置板１１上の開口外周壁と振動板２１は接触していないようになっている。
【００３０】
（振動付与動作）
次に図６、図７を用いて振動付与動作を説明する。給送部２は待機状態においては図６に示すように載置板１１と振動板２１は略水平の状態で待機しており装置使用者が用紙を載置板１１上にセットする。上記の状態において図示しない駆動源を駆動することで駆動軸２４が回動を開始し、共にカム部材２３も回動し始める。すると図７に示す通り、矢印Ｅ方向に回動し始めたカム部材の大径部２３aが振動板２１（防振部材２６）へ当接することで、回転支点１５aを中心に矢印Ｆ方向（反時計回り）へ回動する。次いでカム部材の小径部２３bが振動板２１へ当接した時には回転支点１５bを中心に矢印G方向（時計回り）へ回動する。
【００３１】
この様に振動板２１が揺動することで載置されている用紙１６に対して振動を与えることで記録面上に付着している紙粉を落とすことができる。
【００３２】
以上のように、本発明の実施の形態に係る給送部においては、載置板１１上に載置された用紙に簡易な構成で振動を付与することにより記録面上へ付着している異物や紙粉を記録前に落とすことにより印刷物の品位を確保することを実現している。
【符号の説明】
【００３３】
１１ 載置板、１２ 給送ローラ、１３ 分離ローラ、１５ 給送フレーム、１６ 用紙、
１７  回転中心、１８  左ガイド部材、１９  右ガイド部材、２１  振動板、
２２  振動子、２３  カム部材、２４  駆動軸、２５  付勢部材、２６  防振部材
【図１】
2015214412.tif 000003
【図２】
2015214412.tif 000004
【図３】
2015214412.tif 000005
【図４】
2015214412.tif 000006
【図５】
2015214412.tif 000007
【図６】
2015214412.tif 000008
【図７】
2015214412.tif 000009